(57)【特許請求の範囲】
【請求項１】
無限軌道帯式の走行装置６，６の上方に機台７を設け、該機台７の上部に脱穀装置８と穀物貯留装置９と操縦部１０を設け、脱穀装置８の前方に刈取装置３を設け、前記操縦部１０の座席３２の前側下方で前記機台７より上方にステップ６９を形成し、該ステップ６９の外側下方に乗降用の補助ステップ８３を設けたコンバインにおいて、前記ステップ６９の外端部下方で機台７より上方の外側面８４に開口部８５を形成し、該外側面８４より機体内側に設けた取付け部に補助ステップ８３を取付けて該補助ステップ８３を前記開口部８５内に入り込んで収納される収納状態と開口部８５の外側下位で前記機台７より下方に張出す張出状態とに切換自在に設け、上下方向への操作によって該補助ステップ８３を前記収納状態に切換操作することのできる第一操作具８９と、回動操作によって該補助ステップ８３を張出状態に切換操作することのできる第二操作具８７とを、これら両操作具８９，８７の高さを異ならせて、前記ステップ６９より上側であって座席３２よりも低い位置に並設したことを特徴とするコンバインの乗降装置。
【発明の詳細な説明】
【０００１】
【発明の属する技術分野】
この発明は、コンバインの操縦席に乗り降りするための補助ステップを設けたコンバインの乗降装置に関するものである。
【０００２】
【従来の技術】
従来、実開昭６３−７２１３４号のマイクロフィルム、実開昭５９−１７８０２７号のマイクロフィルム、実開昭６２−１５１１４６号公報に示されるように、コンバインの操縦部のステップの外側下方に乗降用の補助ステップを、機体側面に添わせる収納状態と機体側面から張出す張出状態とに切換自在に設けたものがある。
【０００３】
この補助ステップを張出状態にすれば、操縦者がその補助ステップを利用してステップ上へ楽に乗り降りでき、しかも、走行中は補助ステップを収納状態にしておけば、障害物と接触して損傷することが生じ難い。
【０００４】
【発明が解決しようとする課題】
上記従来技術は、補助ステップを機体側面から外方へ突出する取付け部に回動自在に取付けて、補助ステップを機体側面に添わせる収納状態と機体側面から張出す張出状態とに移動自在に設けたものであり、収納状態では、補助ステップ自体と補助ステップの取付け部とが機体側面から突出した状態となっている。
【０００５】
このため、高畦や塀の近くで刈取作業走行をする場合、補助ステップを収納してしても補助ステップとその取付け部が機体側面から外側方に突出しているので、それが邪魔になって機体を畦や塀に近寄せて刈取り作業走行することができにくく、よって、刈り残しが生じることがある。また、穀稈群の間を割って入って刈取作業走行をする場合には、機体側面から外側方に突出する補助ステップとその取付け部に未刈穀稈をひっかけてしまい、適確な刈取作業走行が行い難い問題がある。
【０００６】
また、上記実開昭６２−１５１１４６号公報に記載された発明においては、補助ステップを収納状態と張出状態とに切換操作する操作具が単一の操作具であり、この単一の操作具を左右に回動させて補助ステップを出し入れする構成であるため、この操作具を誤操作しやすい欠点がある。しかも、この単一の操作具が操作パネルに設けられるために、路上走行中に誤操作によって補助ステップを張り出してしまいやすく、この補助ステップが障害物に衝突して破損するおそれがある。また、刈取作業走行中に誤操作によって補助ステップを張り出してしまうと、この補助ステップが高畦や塀に衝突して破損するおそれがあり、穀稈群の間を割って入って刈取作業走行をしているときに誤操作によって補助ステップを張り出してしまうと、この補助ステップに未刈穀稈をひっかけてしまい、稈切れを起こして収穫損失を来す問題がある。
【０００７】
【課題を解決するための手段】
この発明は、上述の如き課題を解決するために、以下の様な技術的手段を講ずる。
すなわち、無限軌道帯式の走行装置６，６の上方に機台７を設け、該機台７の上部に脱穀装置８と穀物貯留装置９と操縦部１０を設け、脱穀装置８の前方に刈取装置３を設け、前記操縦部１０の座席３２の前側下方で前記機台７より上方にステップ６９を形成し、該ステップ６９の外側下方に乗降用の補助ステップ８３を設けたコンバインにおいて、前記ステップ６９の外端部下方で機台７より上方の外側面８４に開口部８５を形成し、該外側面８４より機体内側に設けた取付け部に補助ステップ８３を取付けて該補助ステップ８３を前記開口部８５内に入り込んで収納される収納状態と開口部８５の外側下位で前記機台７より下方に張出す張出状態とに切換自在に設け、上下方向への操作によって該補助ステップ８３を前記収納状態に切換操作することのできる第一操作具８９と、回動操作によって該補助ステップ８３を張出状態に切換操作することのできる第二操作具８７とを、これら両操作具８９，８７の高さを異ならせて、前記ステップ６９より上側であって座席３２よりも低い位置に並設したことを特徴とするコンバインの乗降装置としたものである。
【０００８】
【作用】
上記構成としたコンバインの乗降装置は、第一操作具８９と第二操作具８７とを操縦者が操作することで、補助ステップ８３が収納状態と張出状態とに切換わる。補助ステップ８３は、外側面８４より機体内側に設けた取付け部に取付けられていて、収納状態では、ステップ６９の外端部下方で機台７より上方の外側面８４に形成した開口部８５内に入り込んで収納され、張出状態では、開口部８５の外側下位で機台７より下方に張出す。
【０００９】
このように第一操作具８９と第二操作具８７とを操作する際、これら二つの操作具８９，８７はその操作方向が異なり、しかも、これら二つの操作具８９，８７はその高さも異なるために、これら二つの操作具８９，８７を取り違える誤操作を起こしにくくなる。しかも、この第一操作具８９と第二操作具８７とは、ステップ６９より上側であって座席３２よりも低い位置に並設されるために、例えば座席３２に着座した操縦者がこれら二つの操作具８９，８７を操作する際に自ずと下向きに手を伸ばす姿勢になりやすく、この補助ステップ８３の切換操作時に走行操作が中断されがちになりやすくなる。
【００１０】
【発明の効果】
この発明は、上記のように、無限軌道帯式の走行装置６，６の上方に機台７を設け、該機台７の上部に脱穀装置８と穀物貯留装置９と操縦部１０を設け、脱穀装置８の前方に刈取装置３を設け、前記操縦部１０の座席３２の前側下方で前記機台７より上方にステップ６９を形成し、該ステップ６９の外側下方に乗降用の補助ステップ８３を設けたコンバインにおいて、補助ステップ８３を収納状態と張出状態とに切換自在に設けたものなので、補助ステップ８３を張出状態にすれば、操縦者がその補助ステップ８３を利用してステップ６９上へ楽に乗り降りでき、走行中は補助ステップ８３を収納状態にしておけば、障害物と接触して損傷することが生じ難い。
【００１１】
また、前記ステップ６９の外端部下方で機台７より上方の外側面８４に開口部８５を形成し、該外側面８４より機体内側に設けた取付け部に補助ステップ８３を取付けて該補助ステップ８３を前記開口部８５内に入り込んで収納される収納状態と開口部８５の外側下位で前記機台７より下方に張出す張出状態とに切換自在に設けたものなので、補助ステップ８３を張出状態にしたときには、補助ステップ８３が開口部８５の外側下位に張り出し、且つ、機台７より下方に張出すので、地面から補助ステップ８３への乗り降りが容易に行える。しかも、そのように設けたものでありながら、補助ステップ８３は外側面８４より機体内側に設けた取付け部に取付けて、補助ステップ８３の収納時には、ステップ６９と機台７との間の外側面８４に形成した開口部８５内に入り込んで収納されるので、従来技術のように補助ステップとその取付け部が機体側面っから外側方に大きく突出しないので、高畦や塀の近くで刈取作業走行をする場合に、機体を畦や塀に近寄せて刈取り作業走行することができ、また、穀稈群の間を割って入って刈取作業走行をする場合に、補助ステップとその取付け部に未刈穀稈がひっかかりにくくなって、刈取作業走行が適確に行える。
【００１２】
しかも、補助ステップ８３を収納状態に切換操作することのできる第一操作具８９と補助ステップ８３を張出状態に切換操作することのできる第二操作具８７とが、その操作方向および高さの異なるものであるために、これら二つの操作具８９，８７を取り違える誤操作を起こしにくくなり、また、この第一操作具８９と第二操作具８７とは、ステップ６９より上側であって座席３２よりも低い位置に並設されるために、例えば補助ステップ８３の切換操作時に操縦者による走行操作が中断されがちになりやすくなり、これによって、路上走行中に誤操作によって補助ステップ８３を張り出してしまうことが少なくなり、この補助ステップ８３が障害物に衝突して破損するおそれを少なくすることができる。また、刈取作業走行中に誤操作によって補助ステップ８３を張り出してしまうことが少なくなり、穀稈群の間を割って入って刈取作業走行をする際にこの補助ステップ８３に未刈穀稈をひっかけてしまうことが少なくなり、稈切れによる収穫損失の発生を少なくすることができる。
【００１３】
【発明の実施の形態】
この発明の実施の形態を、コンバインを例示して詳細に説明する。
コンバインの機体は、無限軌道帯式の左右の走行装置６，６（１）の上方に機台７を設け、該機台７の上部に、脱穀装置８と穀粒貯留装置９とを並設し、更に操縦部１０、エンジン１１等を設けて構成する。前記脱穀装置８の前方には刈取装置３を昇降自在に設ける。
【００１４】
前記走行装置６，６は、転輪フレ−ム１２に軸着した複数の転輪１３群、及び走行ミッションケ−ス１４から駆動されるホイルスプロケット１５，１５にクロ−ラ１６，１６を巻き掛けて構成する。
前記操縦部１０は前記機台７前部一側上に配置し、該操縦部１０後方下部に前記エンジン１１を配置する。
【００１５】
そして、前記エンジン１１の出力軸より駆動される二重プ−リ型のメイン出力プ−リ１７と、前記走行ミッションケ−ス１４内側面から機体内側方へ突出する入力軸１８に設ける走行入力プ−リ１９とにわたって走行伝動ベルト２０を巻回する。
【００１６】
また、前記機台７上には、前記操縦部１０と間隔を置いた他側部位に刈取支持台２１を立設する。該刈取支持台２１上端部には前記刈取装置３を上下回動自在に横軸支承する。この状態で、前記刈取装置３の駆動入力源である刈取入力プ−リ２２は、前記刈取支持台２１より機体内側方に配置される。そして、前記走行ミッションケ−ス１４外側面から機体外側方へ突出する刈取出力軸２３に設ける刈取出力プ−リ２４と、前記刈取入力プ−リ２２とにわたって刈取伝動ベルト２５を巻き掛ける。更に、該刈取伝動ベルト２５の張力を緩緊させることにより駆動力の伝達を入り切りする刈取テンションロ−ラ２６を配設し、これによって刈取クラッチ２７を構成する。
【００１７】
また、前記脱穀装置８前方上部には、該脱穀装置８各部への駆動入力源となる脱穀入力プ−リ２８を配置する。そして、該脱穀入力プ−リ２８と前記メイン出力プ−リ１７とにわたって脱穀伝動ベルト２９を巻き掛ける。更に、該脱穀伝動ベルト２９の張力を緩緊させることにより駆動力の伝達を入り切りする脱穀テンションロ−ラ３０を配設し、これによって脱穀クラッチ３１を構成する。
【００１８】
一方、前記操縦部１０においては、座席３２の前方に前部操作パネル３３を設け、該前部操作パネル３３上に操向レバ−３４、及びハンドル３５を立設する。前記操向レバ−３４は、左右方向の傾動により、前記走行ミッションケ−ス１４内の左右サイドクラッチギヤ（図示せず）をセンタ−ギヤ（図示せず）に対して係合、離脱操作するもので、これによって、前記左右のホイルスプロケット１５，１５の駆動を入り切りして機体の操向を行うものである。また、該操向レバ−３４を前後方向に傾動することによって、前記刈取装置３を機台７に対して上下動させるよう構成するものである。
【００１９】
また、前記操縦部１０における前記座席３２の機体内側側方には、側部操作パネル３６を設ける。そして、該側部操作パネル３６には、走行変速レバ−２、刈取クラッチレバ−４、脱穀クラッチレバ−３７を立設する。
前記走行変速レバ−２は、前記操縦部１０の機体内側壁３８に固着したステ−３９に前後方向及び左右方向に回動自在に軸着し、該変速レバ−２と一体のア−ム４０を、前記走行ミッションケ−ス１４の無段変速装置の変速ア−ム４１に長さ調整可能ロッド４２連結する。この構成により、前記走行変速レバ−２を、略直立状態の中立位置から前方へ傾動させるほど前記無段変速装置が前進高速側に操作され、また、中立位置から後方へ傾動させるほど前記無段変速装置が後進高速側に操作されるものである。
【００２０】
また、前記刈取クラッチレバ−４は、前記側部操作パネル３６に一体のステ−４３に前後方向回動自在に軸着し、該刈取クラッチレバ−４に一体のア−ム４４を、前記刈取クラッチ２７の刈取テンションロ−ラ２６の支持ア−ム４５に、長さ調整可能ロッド４６及び引張スプリング４７を介して連結する。この構成により、前記刈取クラッチレバ−４を後方へ切り換え傾動すると、前記刈取クラッチ２７が切り操作されて刈取装置３が停止し、また、前記刈取クラッチレバ−４を前方へ切り換え傾動すると、前記刈取クラッチ２７が入り操作されて刈取装置３が駆動するものである。
【００２１】
また、前記脱穀クラッチレバ−３７は、前記側部操作パネル３６に一体のステ−４３に対して、前記刈取クラッチレバ−４と同軸に前後方向回動自在に軸着し、該脱穀クラッチレバ−３７に一体のア−ム４８を、前記脱穀クラッチ３１の脱穀テンションロ−ラ３０の支持ア−ム４９に、長さ調整可能ロッド５０及び引張スプリング５１を介して連結する。この構成により、前記脱穀クラッチレバ−３７を後方へ切り換え傾動すると、前記脱穀クラッチ３１が切り操作されて脱穀装置８が停止し、また、前記脱穀クラッチレバ−３７を前方へ切り換え傾動すると、前記脱穀クラッチ３１が入り操作されて脱穀装置８が駆動するものである。
【００２２】
一方、前記側部操作パネル３６には、前後方向長孔形状の走行変速レバ−案内溝５２、刈取クラッチレバ−案内溝５３、脱穀クラッチレバ−案内溝５４を設ける。
該走行変速レバ−案内溝５２、刈取クラッチレバ−案内溝５３、脱穀クラッチレバ−案内溝５４は、この順序で前記座席３２に近い順に、互いに近接して、互いに平行に設ける。
【００２３】
また、前記走行変速レバ−案内溝５２は、平面視において、前後方向中間部の前進低速域変速溝５５が、これより前方部の前進高速域変速溝５６及びこれより後方の後進変速域５７よりも前記座席３２寄りに偏位した屈曲形状に構成する。そして、該走行変速レバ−案内溝５２下方から前記走行変速レバ−２を上方へ突出させて設ける。これにより、前記走行変速レバ−２を、前記前進低速域変速溝５５後部の中立位置とすると、前記走行ミッションケ−ス１４の無段変速装置は駆動停止状態となり、機体の走行は停止される。また、前記走行変速レバ−２を前記中立位置から前方へ傾動していくと、これに従い、該走行変速レバ−２と一体のア−ム４０、長さ調整可能ロッド４２を介して前記走行ミッションケ−ス１４の無段変速装置の変速ア−ム４１が前進高速側に回動操作され、この結果、機体は前進走行を増速していくこととなる。また、前記走行変速レバ−２を、前記中立位置から後方へ傾動していくと、これに従い、該走行変速レバ−２と一体のア−ム４０、長さ調整可能ロッド４２を介して前記走行ミッションケ−ス１４の無段変速装置の変速ア−ム４１が低速側に回動操作され、この結果、機体は後進走行を増速していくこととなる。前記走行変速レバ−２が、前記走行変速レバ−案内溝５２前後端部にまで傾動された状態が、前進及び後進の最高速となる。このような走行変速操作において、前記走行変速レバ−２は、前記前進低速域変速溝５５から、前記前進高速域変速溝５６へ回動操作されると、これに伴い、前記走行変速レバ−案内溝５２の屈曲形状により、前記刈取クラッチレバ−案内溝５３側へ傾倒、接近する。
【００２４】
一方、前記刈取クラッチレバ−案内溝５３は、平面視直線形状に構成し、下方から前記刈取クラッチレバ−４を上方へ突出させる。前記刈取クラッチレバ−４を前記刈取クラッチレバ−案内溝５３後端部に切り換え傾動した状態においては、前記刈取クラッチ２７は切り状態となり、刈取装置３は停止状態となる。また、前記刈取クラッチレバ−４を前記刈取クラッチレバ−案内溝５３前端部に切り換え傾動すると、該刈取クラッチレバ−４に一体のア−ム４４、長さ調整可能ロッド４６及び引張スプリング４７を介して前記支持ア−ム４５が強制回動される。そして、前記刈取テンションロ−ラ２６が前記刈取伝動ベルト２５に伝動張力を付与する状態となる。これにより、前記刈取クラッチ２７が入り状態となり、前記刈取装置３が駆動されるのである。
【００２５】
また、前記脱穀クラッチレバ−３７、脱穀クラッチレバ−案内溝５４においても、前記刈取クラッチレバ−４、刈取クラッチレバ−案内溝５３と同様に構成するものである。
しかして、前記刈取クラッチレバ−４の先端部には、把持部を兼ねると共に、前記座席３２側、即ち前記走行変速レバ−２側へ屈曲した係合部５を取り付ける。また、該係合部５は、固定ピンＰによる位置変更式又は螺子Ｖによる螺合式により、刈取クラッチレバ−４に対してその長手方向に取付け位置調節可能に構成し、これにより、前記刈取クラッチレバ−４を伸縮調節可能とする。この構成により、前記刈取クラッチレバ−４を前記刈取クラッチレバ−案内溝５３前端部に切り換え傾動した状態において、前記係合部５は、前記走行変速レバ−案内溝５２の前進高速域変速溝５６上方に配置される。また、前記刈取クラッチレバ−４先端部に対する前記係合部５の取付け位置を変更調節することにより、前記前進高速域変速溝５６上方における該係合部５の配置位置を前後方向に変更調節することができる。
【００２６】
以上の構成による、コンバインの刈取作業について説明する。
作業開始にあたり、エンジン１１を駆動して、刈取クラッチレバ−４及び脱穀クラッチレバ−３７を前端部へ切り換え傾動し、刈取装置３及び脱穀装置８を駆動する。そして、この状態で走行変速レバ−２を徐々に前方へ傾動して機体を前進増速し、未刈穀稈列に侵入し、刈取を開始する。前記刈取装置３によって刈り取られた穀稈は前記脱穀装置８へ投入されて脱穀処理を受け、脱粒した穀粒は穀粒貯留装置９へ投入され、排藁は脱穀装置８後部から外方へ排出される。
【００２７】
このような刈取作業中には、前述のように前記刈取クラッチレバ−４が前端部へ切り換え傾動されている。このため、該刈取クラッチレバ−４先端部に設ける係合部５は、前記走行変速レバ−２の前進高速域変速溝５６上方に配置されることになる。従って、前記走行変速レバ−２を前進高速側へ傾動していく際、該走行変速レバ−２は、前記係合部５との当接によりその前方最大傾動角度を規制される。これによって、過大な前進増速を防ぐことができる。また、前記刈取クラッチレバ−４に対する係合部５の取付け位置を変更調節することにより、前記前進高速域変速溝５６上方における前記係合部５の配置位置を前後方向に変更調節し、前述の前方最大傾動角度を変更調節することができる。即ち、規制最高速度を任意に変更設定できるのである。
【００２８】
また、前記走行ミッションケ−ス１４内には、前記無段変速装置から駆動されるセンタ−ギヤ５８を、サイドクラッチ軸５９に取付ける。そして、前記センタ−ギヤ５８に対して左右両側から係合可能なサイドクラッチギヤ６０，６０を、前記サイドクラッチ軸５９に回転自在、及び軸心方向摺動自在に設ける。更に、カウンタ軸６１に対して左右のカウンタギヤ６２，６２を回転自在に設け、該左右のカウンタギヤ６２，６２を前記左右のサイドクラッチギヤ６０，６０に常時噛み合わせる。そして、左右のホイル軸６３，６３内端部に取り付ける左右のホイル駆動ギヤ６４，６４を、前記左右のカウンタギヤ６２，６２に常時噛み合わせる。前記左右のホイル軸６３，６３外端部には前記左右のホイルスプロケット１５，１５を取り付ける。
【００２９】
また、前記左右のサイドクラッチギヤ６０，６０には、左右のスライドシフタ６５，６５を係合させる。該左右のスライドシフタ６５，６５は、前記走行ミッションケ−ス１４外部へ突出する左右のシフタ軸６６，６６内端部に取り付けたシフトア−ム６７，６７に軸着する。また、前記左右のシフタ軸６６，６６外端部にはサイドクラッチ操作ア−ム６８，６８を取り付ける。
【００３０】
一方、前記操縦部１０のステップ６９上には、ブレ−キペダル７０を配置する。該ブレ−キペダル７０は、踏込面７１とア−ム７２とから成り、該ア−ム７２の基部を前記ステップ６９下側面に横軸軸着し、上下回動自在に構成する。前記ア−ム７２中間部側面には、第１プ−リ７３を横軸軸着する。また、前記ステップ６９下側面において、前記ア−ム７２上方且つ前記第１プ−リ７３後方に該当する部位に、第２プ−リ７４を横軸軸着する。また、前記ステップ６９下側面において、前記第１プ−リ７３上方部位には、係止ステ−７５を固着して設ける。更に、前記機台７側の固定部にカウンタ部材７６を横軸軸着して設ける。該カウンタ部材７６は、上側ア−ム７７、下側ア−ム７８、及び横側ア−ム７９を放射方向に一体的に有する。
【００３１】
そして、前記係止ステ−７５に操作ワイヤ８０の一端部を係止し、該操作ワイヤ８０を、前記第１プ−リ７３の下側に巻き掛けた後、前記第２プ−リ７４の上側に巻き掛けて垂下し、前記カウンタ部材７６の横側ア−ム７９先端部に係止する。また、前記カウンタ部材７６の上側ア−ム７７先端部と前記左のサイドクラッチ操作ア−ム６８先端部との間、及び前記カウンタ部材７６の下側ア−ム７８先端部と前記右のサイドクラッチ操作ア−ム６８先端部との間を、夫々、連動ロッド８１，８１によって連結する。
【００３２】
また、前記サイドクラッチ軸５９両側端部には、前記左右のサイドクラッチギヤ６０，６０外側部が係合可能なサイドブレ−キ８２，８２を設ける。
以上の構成により、前記ブレ−キペダル７０を踏み込み操作すると、前記ア−ム７２の下方回動により前記第１プ−リ７３が下降し、該第１プ−リ７３と前記第２プ−リ７４とが離間する。このとき、前記操作ワイヤ８０の一端部と、第２プ−リ７４は前記機台７に対して位置不動であるので、結果として、前記操作ワイヤ８０の他端部が引き上げられることとなる。これにより、前記横側ア−ム７９が上方回動せられ、これに一体の前記上側ア−ム７７及び下側ア−ム７８が回動し、前記連動ロッド８１，８１を介して前記サイドクラッチ操作ア−ム６８，６８を回動させる。これによって、前記左右のスライドシフタ６５，６５が互いに逆方向へスライドし、前記左右のサイドクラッチギヤ６０，６０を、前記センタ−ギヤ５８から離脱させた後、前記サイドブレ−キ８２，８２に係合させる。この結果、前記左右のサイドクラッチギヤ６０，６０以下の伝動が絶たれ、前記走行装置６，６の駆動は停止される。このようなブレ−キ操作は、前述のように、第１プ−リ７３、第２プ−リ７４を介した操作ワイヤ８０の引き力によって行われるため、軽い操作力により、前記ブレ−キペダル７０を踏み込み操作できる。
【００３３】
また、前記操縦部１０には、該操縦部１０への乗り降りを容易にするために、補助ステップ８３を設ける。該補助ステップ８３は、その基部を前記ステップ６９外側面８４の内壁に軸着し、該外側面８４に形成する開口部８５から出し入れ回動自在とする。そして、前記補助ステップ８３は、中間部に連結した収納ワイヤ８６の引き操作により上方回動し、前記ステップ６９下方に収納される。また、該補助ステップ８３収納位置において、該補助ステップ８３回動端部には、張出し操作レバ−（第二操作具）８７の下端部外側を当接させる。該張出し操作レバ−８７は、中間部を前記ステップ６９下面に横軸軸着し、戻しスプリング８８の引き力に抗して機体外側方へ回動操作可能に構成する。該張出し操作レバ−８７の機体外側方への回動操作により、該張出し操作レバ−８７下端部外側に当接していた前記補助ステップ８３を外側へ押し、前記開口部８５より外方へ張出し回動させる。これによって、該補助ステップ８３は使用状態となる。尚、前記補助ステップ８３収納状態において、前記収納ワイヤ８６のノブ（第一操作具）８９は、前記ステップ６９より上方に設ける係止部材９０に係止しておく。
【００３４】
以上の構成により、作業者が操縦部１０に搭乗したままで、前記補助ステップ８３を容易に出し入れ操作できるものである。
【図面の簡単な説明】
【図１】この発明の一実施例における要部の説明用側面図である。
【図２】この発明の一実施例における要部の説明用正面図である。
【図３】この発明の一実施例における要部の説明用平面図である。
【図４】この発明の一実施例における一部の部分説明図である。
【図５】この発明の一実施例における一部の部分説明図である。
【図６】この発明の一実施例におけるコンバインの側面図である。
【図７】この発明の一実施例におけるコンバインの平面図である。
【図８】この発明の実施例における一部の説明用斜視図である。
【図９】この発明の実施例における一部の説明用正面図である。
【図１０】この発明の実施例における一部の説明用側面図である。
【符号の説明】
３  刈取装置
６  走行装置
７  機台
８  脱穀装置
９  穀物貯留装置
１０  操縦部
３２  座席
６９  ステップ
８３  補助ステップ
８７  張出し操作レバ−（第二操作具）
８９  ノブ（第一操作具）
【図１】
0003622756.tif 000002
【図２】
0003622756.tif 000003
【図３】
0003622756.tif 000004
【図４】
0003622756.tif 000005
【図５】
0003622756.tif 000006
【図６】
0003622756.tif 000007
【図７】
0003622756.tif 000008
【図８】
0003622756.tif 000009
【図９】
0003622756.tif 000010
【図１０】
0003622756.tif 000011